(57)【要約】【課題】延長ノズル付きの吐出容器において、ノズルヘッドのノズル筒から延長ノズルが不意に脱落することを防止する。【解決手段】容器体２から起立されたノズルヘッド１２より側外方へノズル筒１２ｄが突設された主要部材１と、前記ノズル筒１２ｄの先端部へ嵌合された管壁１６を含む延長ノズル１４と、ノズルヘッド１２の上側へ嵌着されたヘッドカバー３２を有するとともに、このヘッドカバー３２からノズル筒１２ｄの上面に添って延びる連結アーム４０の先部４０ａを、前記延長ノズル１４の基端Ｅ１にヒンジ４３を介して回動可能に連結してなるアダプタ３０とを具備する。アダプタ３０のヘッドカバー３２をノズルヘッド１２に、またアダプタ３０の連結アーム４０にヒンジ４３を介して連結された延長ノズル１４を、ノズル筒１２ｄにそれぞれ着脱自在に嵌合させ、ヒンジ４３を中心とする回動によりノズルヘッド１２に対するヘッドカバー３２の着脱ができる。【選択図】図２
2018104077.tif 000002
【特許請求の範囲】
【請求項１】
容器体(２)から起立されたノズルヘッド(１２)より側外方へノズル筒(１２ｄ)が突設された主要部材(１)と、
前記ノズル筒(１２ｄ)の先端部へ嵌合された管壁(１６)を含む延長ノズル(１４)と、
前記ノズルヘッド(１２)の上側へ嵌着されたヘッドカバー(３２)を有するとともに、このヘッドカバー(３２)から前記ノズル筒(１２ｄ)の上面に添って延びる連結アーム(４０の先部(４０ａ)と前記延長ノズル(１４)の基端(Ｅ１)側とをヒンジ(４３)を介して一体に連結し、このヒンジ(４３)を中心として回動可能に設けられたアダプタ(３０)と、
を具備することを特徴とする、延長ノズル付き吐出容器。
【請求項２】
前記アダプタ(３０)のヘッドカバー(３２)をノズルヘッド(１２)に、またアダプタ(３０)の連結アーム(４０)にヒンジ(４３)を介して連結された延長ノズル(１４)を、ノズル筒(１２ｄ)にそれぞれ着脱自在に嵌合させ、
前記ヒンジ(４３)を中心とする回動により、ノズルヘッド(１２)に対するヘッドカバー(３２)の着脱ができるように設けたことを特徴とする、請求項１記載の延長ノズル付き吐出容器。
【請求項３】
前記延長ノズル(１４)の基部を、管壁(１６)の内面が段差(Ｓ)を介して拡径する大内径部(２０)に形成するとともに、この大内径部(２０)の外面に連結アーム(４０)の先部(４０ａ)とをヒンジ(４３)を介して連結し、ノズル筒(１２ｄ)の先部(４０ａ)が前記段差(Ｓ)に突き当たった状態で前記ヘッドカバー(３２)がノズルヘッド(１２)に嵌合されるように形成したことを特徴とする、請求項２記載の延長ノズル付き吐出容器。
【請求項４】
前記ヘッドカバー(３２)は、天板(３３)の外周部から小径の嵌合筒部(３６)と大径の操作筒部(３４)を垂下し、前記嵌合筒部(３６)を前記ノズルヘッド(１２)に嵌着するとともに、前記操作筒部(３４)を引き上げることで、前記嵌合筒部(３６)をノズルヘッド(１２)から離脱させることができるように形成したことを特徴とする、請求項１から請求項３のいずれかに記載の延長ノズル付き吐出容器。
【発明の詳細な説明】
【技術分野】
【０００１】
本発明は、延長ノズル付き吐出容器に関する。
【背景技術】
【０００２】
容器体から起立されたノズルヘッドの側面から側外方へノズル筒を突出した吐出容器はよく知られているが、ノズル筒の先端から内容物が垂れて容器体に付着すると都合が悪い。しかしながら、ノズル筒の突出長を長くすると、商品の流通時などに嵩張るなどの問題を生ずる。
そこでノズル筒付きの吐出容器と別体として、延長ノズルを用意し、容器の使用時にノズル筒の先端部に嵌合するようにしたものが知られている（特許文献１）。
【先行技術文献】
【特許文献】
【０００３】
【特許文献１】特開２０１０−１０５７２０
【発明の概要】
【発明が解決しようとする課題】
【０００４】
特許文献１の延長ノズル付き吐出容器は、使用時に不意に他物が延長ノズルに触れたときに、当該延長ノズルがノズルヘッドのノズル筒から脱落してしまう可能性がある。
これを回避するために、ノズル筒の先端部に対して延長ノズルが固嵌めされるように延長ノズルの基端部の内径を、ノズル筒の先端部の外径に対してきつめに設計することもできるが、この場合には、延長ノズルをノズルヘッドから取り外して、これらを洗浄しようとするときに、容易に取り外しできなくなり、不便である。
【０００５】
本発明の一つの目的は、延長ノズル付きの吐出容器において、ノズルヘッドのノズル筒から延長ノズルが不意に脱落することを防止することであり、他の目的は、ノズルの洗浄などのために延長ノズルをノズルヘッドから取り外そうとするときには取り外し作業を容易に行うことができるようにすることである。
【課題を解決するための手段】
【０００６】
第１の手段は、容器体２から起立されたノズルヘッド１２より側外方へノズル筒１２ｄが突設された主要部材１と、
前記ノズル筒１２ｄの先端部へ嵌合された管壁１６を含む延長ノズル１４と、
前記ノズルヘッド１２の上側へ嵌着されたヘッドカバー３２を有するとともに、このヘッドカバー３２から前記ノズル筒１２ｄの上面に添って延びる連結アーム４０の先部４０ａと前記延長ノズル１４の基端Ｅ１側とをヒンジ４３を介して一体に連結し、このヒンジ４３を中心として回動可能に設けられたアダプタ３０と、
を具備する。
【０００７】
本手段では、図２に示すように容器体２から起立されたノズルヘッド１２より側外方へノズル筒１２ｄが突設されたパーツを主要部材１とし、かつノズル筒１２ｄの先端部に延長ノズル１４を嵌合させた構造において、延長ノズルの脱落防止用のアダプタ３０を設けることを提案している。このアダプタ３０は、ノズルヘッド１２に嵌着されたヘッドカバー３２を含む。そしてこのヘッドカバー３２から延びる連結アーム４０の先部４０ａを、前記延長ノズル１４の基端Ｅ１側にヒンジ４３を介してアダプタ３０の回動可能に連結している。
【０００８】
「延長ノズル」とは、ノズルヘッドに付設されたノズル筒の吐出流路を長くするためにノズル筒の先部に取り付けられるノズルを言うものとする。上方から見て容器体の輪郭よりも外方へ長く突出したタイプ（ロングノズル）が典型であるが、必ずしもこれに限られるものではない。
「主要部材」とは、本発明の容器の構成のうちで延長ノズル及びアダプタを除く部分という程度の意味であり、少なくとも容器体とノズルヘッドとを含む部材であれば足りる。図示例では、ポンプ機構を内蔵したポンプ容器を挙げているが、例えばエアゾール式吐出容器であっても良い。
「ノズルヘッド」とは、ノズル筒を有するヘッドという意味である。図示のポンプ式容器においては、押下げて操作する押下げヘッドを例示している。しかしながら、エアゾール容器の場合には、周知のように押し下げて操作するヘッドの他に、側方（通常はノズルを開口する方向）にヘッドを傾けるいわゆるチルトタイプのヘッドが用いられており、いずれもノズルヘッドに含まれる。
「アダプタ」は、前記ノズルヘッドに装着する部材である。ノズルヘッドに対して着脱自在に装着するものが代表例であるが、本手段においては、ノズルヘッドに対して取り外し不能に装着されるものも除外されない。
「ノズルカバー」は、ノズルヘッドの全部または一部を覆うように形成されている。
「ヒンジ」は、ノズルヘッドへの装着用のアダプタと延長ノズルとを一体に連結することにより、延長アダプタの脱落を防止している。
【０００９】
第２の手段は、第１の手段を有し、かつ
前記アダプタ３０のヘッドカバー３２をノズルヘッド１２に、またアダプタ３０の連結アーム４０にヒンジ４３を介して連結された延長ノズル１４を、ノズル筒１２ｄにそれぞれ着脱自在に嵌合させ、
前記ヒンジ４３を中心とする回動により、ノズルヘッド１２に対するヘッドカバー３２の着脱ができるように設けた。
【００１０】
本手段では、前記ヒンジ４３を中心とする回動により、ノズルヘッド１２に対するヘッドカバー３２の着脱ができるように設けている。
この構成によれば、主要部材１にアダプタ３０及び延長ノズル１４を組み付ける際には、まず延長ノズル１４の基端Ｅ１内へノズル筒１２ｄを差し込ませ（図４参照）、次に同図の状態からノズルカバー３２をノズルヘッド１２の上に倒す如く回動させて、ノズルヘッド１２に嵌着させればよい。このように組み付け作業を一連の動作としてスムーズに行うことができるから使い勝手が大変よい。
また使用後に内容物を洗浄するときには、前記一連の動作を逆の手順で行うことにより、主要部材１からアダプタ３０及び延長１４を手際良く取り外すことができる。
【００１１】
第３の手段は、第２の手段を有し、かつ
前記延長ノズル１４の基部を、管壁１６の内面が段差Ｓを介して拡径する大内径部２０に形成するとともに、この大内径部２０の外面に連結アーム４０の先部４０ａとをヒンジ４３を介して連結し、ノズル筒１２ｄの先部４０ａが前記段差Ｓに突き当たった状態で前記ヘッドカバー３２がノズルヘッド１２に嵌合されるように形成した。
【００１２】
本手段では、図２に示す如く、延長ノズル１４の基部を、管壁１６の内面が段差Ｓを介して拡径する大内径部２０に形成し、ノズル筒１２ｄの先部４０ａが前記段差Ｓに突き当たることにより、延長ノズル１４の位置決めができるように設けている。こうした段差がなく利用者の目分量で延長ノズル１４内へノズル筒１２ｄを挿入する場合には、ヘッドカバー３２をノズルヘッド１２に嵌合させたときに、その挿入深さが大きすぎてヒンジ４３がたるんだりする可能性がある。これに対して、本手段の構成では、ノズルヘッド１２に対する延長ノズル１４の基端Ｅ１を適正な位置にすることができる。
【００１３】
第４の手段は、第１の手段から第３の手段のいずれかを有し、かつ
前記ヘッドカバー３２は、天板３３の外周部から小径の嵌合筒部３６と大径の操作筒部３４を垂下し、前記嵌合筒部３６を前記ノズルヘッド１２に嵌着するとともに、前記操作筒部３４を引き上げることで、前記嵌合筒部３６をノズルヘッド１２から離脱させることができるように形成した。
【００１４】
本手段では、図２に示すように、ヘッドカバー３２は、天板３３の外周部から小径の嵌合筒部３６と大径の操作筒部３４を垂下することを提案している。前記嵌合筒部３６は前記ノズルヘッド１２に嵌着させるものとする。そして前記操作筒部３４を引き上げることにより、前記嵌合筒部３６をノズルヘッド１２から容易に離脱させることができる。また手先の不自由な利用者にとっては押下げ操作をする箇所が狭いと操作がしにくい場合があるが、本手段の構成では、ノズルヘッド１２に対してヘッドカバー３２が大径になるので、押下げ操作が容易である。
【発明の効果】
【００１５】
第１の手段に係る発明によれば、ノズルヘッド１２のノズル筒１２ｄに延長ノズル１４を連結した構成において、ノズルヘッド１２の上面に嵌着されたヘッドカバー３２から延びる連結アーム４０の先部４０ａを、前記延長ノズル１４の基端Ｅ１にヒンジ４３を介して回動可能に連結したから、延長ノズル１４の脱落を防止できる。
第２の手段に係る発明によれば、前記ヒンジ４３を中心とする回動により、ヘッドカバー３２をノズルヘッド１２に対して着脱することができるから、アダプタ３０及び延長ノズル１４の主要部材１への組み付け及び取り外しが容易であり、延長ノズル１４の洗浄も簡単に行うことができる。
第３の手段に係る発明によれば、ノズル筒１２ｄの先部４０ａが前記段差Ｓに突き当たった状態で前記ヘッドカバー３２がノズルヘッド１２に嵌合されるように形成したから、利用者がどの程度まで延長ノズル１４をノズル筒１２ｄにどの程度嵌め込めれば良いかが明確となり、使い勝手が良い。
第４の手段に係る発明によれば、天板３３の外周部からノズルヘッド１２への嵌着用小径の嵌合筒部３６及び大径の操作筒部３４を垂下したから、操作筒部３４を引き上げることで、前記嵌合筒部３６をノズルヘッド１２から容易に離脱させることができ、操作し易いとともに、押下げ操作をする範囲が広がるので、操作性がよい。
【図面の簡単な説明】
【００１６】
【図１】本発明の第１実施形態に係る延長ノズル付き吐出容器の平面図である。
【図２】図１の吐出容器の一部を断面で示す側面図である。
【図３】図１の吐出容器の正面図である。
【図４】図１の吐出容器の使用状態説明図である。
【図５】図１の吐出容器の斜視図である。
【発明を実施するための最良の形態】
【００１７】
主要部材１は、従来公知の構成であり、本実施形態ではポンプ機構を内蔵した吐出容器として構成されているが、前述の通り、この構造は適宜変更することができる。図示例の主要部材１は、容器体２と、図示しないポンプシリンダと、装着キャップ４と、補助キャップ６と作動部材８とで構成されている。
容器体２は、胴部から図示しない口頸部を起立している。
装着キャップ４は、前記口頸部の外面に嵌合された装着筒４ａの上端から内向きフランジ４ｂを内方突出している。
ポンプシリンダは、シリンダ周壁の上端に付設した鍔状のフランジ部を有し、このフランジ部を口頸部と内向きフランジ４ｂとの間に挟持させることで、容器体２内に支持されている。ポンプシリンダの下部からは液体吸い上げパイプが垂下されており、かつポンプシリンダの下部に第１逆止弁が設けられている。
補助キャップ６は、作動部材８の抜け止め手段であり、キャップ周壁の下半部をポンプシリンダの上部内に嵌合するとともに、上半部外面にネジ部を形成し、かつキャップ周壁の上半部から外向きフランジ６ａを外方突出している。
作動部材８は、前記ポンプシリンダの内面を摺動する筒状ピストンを下部に有するとともに、前記補助キャップ６から起立するステム１０の上端のノズルヘッド１２を付設している。ノズルヘッド１２はヘッド頂壁１２ａの裏面中央部から、前記ステムに好ましくは着脱自在に取り付ける取付筒部（図示せず）を垂下するとともに、ヘッド頂壁１２ａの外周部から大径のヘッド周壁１２ｂ及び小径の補助周壁１２ｃを垂下している。この補助周壁１２ｃは、図示例では前記補助キャップ６のキャップ周壁の上半部に螺合可能に形成している。ヘッド周壁１２ｂの前面からは、前記ステム１０に連通するノズル筒１２ｄを前方突出している。
なお、本明細書において、便宜的に、図２の左方（ノズル筒を突出する方向）を“前”、同図の右方を“後”というものとする。
作動部材８の内部には、第２逆止弁（図示せず）が形成されており、容器体２に対する作動部材８の昇降により、容器体２内の液体を、第１逆止弁を介してポンプシリンダ内へ吸い込むとともに、ポンプシリンダ内の液体を、第２逆止弁を介してノズル筒１２ｄから外部へ吐出するように形成している。なお、容器の内容物は液体に限定されない。
【００１８】
延長ノズル１４は、図２に示すように、その延長ノズル１４の基端Ｅ１側を前記ノズル筒１２ｄの先端部側に嵌合してなり、内容物の吐出流路を延長する役割を有する。本実施形態の延長ノズル１４は、少なくとも管壁１６とこの管壁１６の基端寄りに付設された鍔部２２とを有する。
図示例において、管壁１６は長手方向中間部に屈曲部１８を有し、この屈曲部１８より基端Ｅ１側では前下方へ傾斜し、屈曲部１８より先端Ｅ２側では垂直に垂下している。もっともこれらの構造は適宜変更することができる。
また本実施形態では、管壁１６の基部（基端Ｅ１近傍の管壁部分をいう）を、図２に示すように、基部以外の管壁部分から段差Ｓを介して拡径する大内径部２０に形成している。延長ノズル１４を、ノズル筒１２ｄの先端部に嵌合させるときには、この先端部が前記段差Ｓに突き当たるまで延長ノズル１４を嵌合させればよい。これにより、ノズル筒１２ｄ及びヘッドカバー３２に対する延長ノズル１４の位置決めをすることができ、ノズル筒１２ｄへの延長ノズル１４の嵌合長さが長すぎてノズルヘッド１２にヘッドカバー３２をセットしたときにヒンジがたるんだり、逆に嵌合長さが短すぎて、ノズルヘッド１２にヘッドカバー３２をスムーズに嵌合させることができないという不具合がなくなる。
前記鍔部２２は、管壁１６とノズル筒１２ｄとのヒンジ連結する箇所の近傍に補強のために設けられている。図示例では、図１に示す如く、鍔部２２の上側を切割りし、この切割り箇所に後述のヒンジ４３を連結している。
【００１９】
アダプタ３０は、延長ノズルの取り付けを補助する治具であり、ヘッドカバー３２と、連結アーム４０とを有する。これら両者は一体に成形することが好適である。
【００２０】
前記ヘッドカバー３２は、ノズルヘッド１２より大径の天板３３を有し、この天板３３の外周部から足の短い大径の操作筒部３４及び足の長い小径の嵌合筒部３６を２重筒状に垂下しており、また天板３３の中央部から押下げ用筒部３８を垂下している。
前記嵌合筒部３６は、ノズルヘッド１２のヘッド周壁１２ｂの外面に嵌合されている。前記嵌合筒部３６の筒壁の前部には切欠き３６ａが形成されており、前記ヘッド周壁１２ｂへの嵌合状態で切欠き３６ａ内をノズル筒１２ｄが挿通するように形成されている。また嵌合筒部３６の下端部内面には、ヘッド周壁１２ｂの下端面に係合可能な係合リブ３６ｂが付設されている。
前記操作筒部３４は、その下面に指を掛けてヘッドカバー３２を引き上げるための手段である。図示例では、操作筒部３４の前壁部を開口して、この開口箇所から連結アーム４０が前方へ延出している。
前記押下げ用筒部３８は、嵌合筒部３６をヘッド周壁１２ｂに嵌合させた状態で、押下げ用筒部の筒壁下端がノズルヘッド１２のヘッド頂壁１２ａの上面に当接するように形成している。
【００２１】
前記連結アーム４０は、前記操作筒部３４の前部からノズル筒１２ｄに添って前方へ突設されている。“添って”という用語は、図２に示すようにノズル筒１２ｄの外面に連結アーム４０がぴったりと接している構成に限定する意味ではなく、図示はしないが連結アーム４０とノズル筒１２ｄとの間には隙間が存在してもよい。
また好適な図示例では、連結アーム４０は、突設方向から見て断面逆Ｕ字形の曲り板部に形成されている。これにより連結アーム４０の剛性が高まる。連結アーム４０を含むアダプタ３０を、可撓性のある材料で形成することができる。この明細書でＵ字状というときには、円弧状を含み、例えば下側が浅くくぼんだ形状を含むものとする。
【００２２】
前記連結アーム４０の先部４０ａは、ヒンジ４３を介して前記延長ノズル１４の鍔部２２の近傍（図示例では鍔部の切割り箇所）に連結されており、これにより、ヒンジ４３を中心としてアダプタ３０が前後方向に回転可能に形成している。図示例のヒンジ４３は、一本の帯状の肉薄ヒンジであり、アダプタ３０と延長ノズル１４とがヒンジ４３を介して一体成形されている。これにより延長ノズル１４及びアダプタ３０を一パーツで成形することができ、製造コストを廉価にすることができる。もっともこの構造は適宜変更することができ、例えば、延長ノズル１４とアダプタ３２との間のヒンジ４３構造を、スナップ性のあるヒンジ等を採用することもできる。
【００２３】
上記構成において、前述の主要部材１に延長ノズル１４及びアダプタ３０を組み付けるときには、予めヒンジ４３を中心としてアダプタ３０を延長ノズル１４の基端Ｅ１の上側へ回動させておき、この延長ノズル１４の基端Ｅ１をノズル筒１２ｄの先端部の前方へ位置させて後方へ押し込むことで、図４に示すように、延長ノズル１４の基端Ｅ１内へノズル筒１２ｄを嵌挿させ、次に図４の状態から、図２に想像線で示すように、ノズルカバー３２をヒンジ４３を中心に後方へ回動させてノズルヘッド１２の上側へ嵌着させればよい。延長ノズル１４を後方へ押し込み、次にヘッドカバー３２を後方へ回動すればよいので、一連の動作を円滑に行うことができる。
これらの作業において、延長ノズル１４の基端Ｅ１側をノズルヘッド１２のノズル筒１２ｄへ押し込む際には、ノズル筒１２ｄの先端部が延長ノズル１４内の段差Ｓに突き当たるときの触感によって利用者は十分にノズル筒１２ｄが嵌入されたことを理解できる。
アダプタ３０を可撓性材料で形成したときには、図２に想像線で示す状態から、ノズルカバー３２をノズルヘッド１２へ嵌着させる際に、連結アーム４０が撓むと同時に切欠き３６ａを設けた嵌合筒部３６が容易に拡開するので、嵌着作業がよりスムーズとなる。
【００２４】
図２の状態でアダプタ３０の連結アーム４０と延長ノズル１４の鍔部２２とがヒンジ４３を介して連結しているので、延長ノズル１４が不意に脱落することを防止できる。この状態でヘッドカバー３２の天板３３を押下げると、押下げ用筒部３８を介してノズルヘッド１２が押し下げられ、ポンプシリンダ内の液体がノズル筒１２ｄを経て延長ノズル１４から吐出される。ヘッドカバー３２は、ノズルヘッド１２より大径であるので、前述の通り手先が不自由な利用者にとっても、押下げ作業を確実に行える。
【００２５】
使用後に延長ノズル１４を洗浄するときには、図２の状態から操作筒部３４の後壁部に指を掛けて引き上げるとよい。この後壁部は、嵌合筒部３６よりも後方に、すなわち、係止部４２から見て遠くにあるから、操作筒部３４の後壁部を力点、ヒンジ４３を支点、ノズルヘッド１２への嵌合筒部３６の嵌合箇所を作用点とするテコの原理により、嵌合筒部３６の係合リブ３６ｂが前記ヘッド周壁１２ｂの下端から容易に外れる。
ヘッドカバー３２をノズルヘッド１２から離脱させた後に、延長ノズル１４をノズル筒１２ｄから引き抜くことにより、延長ノズル１４及びアダプタ３０を主要部材１から外すことができる。そして取り外すことができる。これにより、延長ノズル１４を洗浄することができる。またノズルヘッド１２もステム１０から取り外して洗浄することができる。
【符号の説明】
【００２６】
１…主要部材
２…容器体  ４…装着キャップ  ４ａ…装着筒  ４ｂ…内向きフランジ
６…補助キャップ  ６ａ…外向きフランジ  ８…作動部材  １０…ステム
１２…ノズルヘッド  １２ａ…ヘッド頂壁  １２ｂ…ヘッド周壁  １２ｃ…補助周壁
１２ｄ…ノズル筒  
１４…延長ノズル  １６…管壁  １８…屈曲部  ２０…大内径部
２２…鍔部
３０…アダプタ  ３２…ヘッドカバー  ３３…天板  ３４…操作筒部
３６…嵌合筒部  ３６ａ…切欠き  ３６ｂ…係合リブ
３８…押下げ用筒部  ４０…連結アーム  ４０ａ…先部
４３…ヒンジ
Ｅ１…基端  Ｅ２…先端  Ｓ…段差
【図１】
2018104077.tif 000003
【図２】
2018104077.tif 000004
【図３】
2018104077.tif 000005
【図４】
2018104077.tif 000006
【図５】
2018104077.tif 000007